(57)【要約】  モバイルユーザノードの測定を実行するための方法、システム、及びコンピュータプログラムである。方法は、モバイルユーザノードのロケーションサーバからインター周波数参照信号時間差測定の実行要求を受信する段階と、サービングアクセスノードから測定ギャップ構成を受信する段階と、要求されたインター周波数参照信号時間差測定を割り当てられた測定ギャップの間に実行する段階と、インター周波数参照信号時間差測定の結果をロケーションサーバに報告する段階とを含む。【選択図】図１
2013545332.tif 000002
【特許請求の範囲】
【請求項１】
モバイルユーザノードのロケーションサーバからインター周波数参照信号時間差測定の実行要求を受信する段階と、
サービングアクセスノードから測定ギャップ構成を受信する段階と、
要求されたインター周波数参照信号時間差測定を割り当てられた測定ギャップの間に実行する段階と、
インター周波数参照信号時間差測定の結果をロケーションサーバに報告する段階と
を含む方法。
【請求項２】
サービングアクセスノードから測定ギャップ構成を受信する前記段階は、モバイルユーザノードが、測定ギャップ構成を割り当てることをサービングアクセスノードに要求する前段階を含む、請求項１に記載の方法。
【請求項３】
モバイルユーザノードが、無線リソース制御シグナリングを使用して、測定ギャップ構成を割り当てることをサービングアクセスノードに要求する、請求項２に記載の方法。
【請求項４】
サービングアクセスノードから測定ギャップ構成を受信する前記段階は、測定ギャップ構成を割り当てることを、ロケーションサーバがサービングアクセスノードに要求する前段階を含む、請求項１に記載の方法。
【請求項５】
ロケーションサーバが、ロング・ターム・エボリューション測位プロトコルＡ（ＬＰＰａ）シグナリングを使用して、測定ギャップ構成を割り当てることをサービングアクセスノードに要求する、請求項４に記載の方法。
【請求項６】
ソフトウェアプログラム命令を含む非一時的コンピュータ読込可能媒体であって、少なくとも１つのデータプロセッサによって前記ソフトウェアプログラム命令を実行することにより、請求項１から５のいずれか１項に記載の方法を実行することを含む動作が、実施結果として生じる、非一時的コンピュータ読込可能媒体。
【請求項７】
少なくとも一つのデータプロセッサと、コンピュータプログラムコードを含む少なくとも１つのメモリとを備える装置であって、
前記メモリ及び前記コンピュータプログラムコードが、少なくとも１つのデータプロセッサと共に、モバイルユーザノードのロケーションサーバからインター周波数参照信号時間差測定の実行要求を受信する動作と、サービングアクセスノードから測定ギャップ構成を受信する動作と、要求されたインター周波数参照信号時間差測定を割り当てられた測定ギャップの間に実行する動作と、インター周波数参照信号時間差測定の結果をロケーションサーバに報告する動作とを、装置に実行させるように構成された、
ことを特徴とする装置。
【請求項８】
測定ギャップ構成を受信する動作の前に、データプロセッサが、無線リソース制御シグナリングを使用して、測定ギャップ構成を割り当てることをサービングアクセスノードに要求する動作が行われる、請求項７に記載の方法。
【請求項９】
測定ギャップ構成を受信する動作の前に、ロケーションサーバが、ロング・ターム・エボリューション測位プロトコルＡ（ＬＰＰａ）シグナリングを使用して、測定ギャップ構成を割り当てることをサービングアクセスノードに要求する動作が行われる、請求項７に記載の方法。
【請求項１０】
モバイルユーザノードのロケーションサーバからインター周波数参照信号時間差測定の実行要求を受信するための手段と、
サービングアクセスノードから測定ギャップ構成を受信するための手段と、
要求されたインター周波数参照信号時間差測定を、割り当てられた測定ギャップの間に実行するための手段と、
インター周波数参照信号時間差測定の結果をロケーションサーバに報告するための手段と
を備えることを特徴とする装置。
【請求項１１】
サービングアクセスノードから測定ギャップ構成を受信するための前記手段が、無線リソース制御シグナリングを使用して、測定ギャップ構成を割り当てることをサービングアクセスノードに要求するための手段と連携して動作する、請求項１０に記載の方法。
【請求項１２】
サービングアクセスノードから測定ギャップ構成を受信するための前記手段は、ロケーションサーバが、ロング・ターム・エボリューション測位プロトコルＡ（ＬＰＰａ）シグナリングを使用して、測定ギャップ構成を割り当てることをサービングアクセスノードに要求するための手段と連携して動作する、請求項１０に記載の方法。
【請求項１３】
モバイルユーザノードがインター周波数参照信号時間差測定を実行できるようにするために、該モバイルユーザノードのための測定ギャップ構成を提供することの要求を含むシグナリングを受信する段階と、
ダウンリンクシグナリング内で、該モバイルユーザノードに測定ギャップ構成を提供する段階と、
モバイルユーザノードが要求されたインター周波数参照信号時間差測定を実行している間に、該測定ギャップ構成に従って測定ギャップを生成する段階と、
モバイルユーザノードがインター周波数参照信号時間差測定の実行を完了した後、測定ギャップ構成を削除する段階と
を含むことを特徴とする方法。
【請求項１４】
受信されるシグナリングが、測定ギャップ構成を割り当てることをサービングアクセスノードに要求するモバイルユーザノードから受信されるシグナリングを含む、請求項１３に記載の方法。
【請求項１５】
受信されるシグナリングが、無線リソース制御シグナリングである、請求項１４に記載の方法。
【請求項１６】
受信されるシグナリングが、モバイルユーザノードにインター周波数参照信号時間差測定を実行するように指示したロケーションサーバから受信されるシグナリングを含み、受信されるシグナリングが、測定ギャップ構成を割り当てることをサービングアクセスノードに要求するものである、請求項１３に記載の方法。
【請求項１７】
サービングアクセスノードが、ロング・ターム・エボリューション測位プロトコルＡ（ＬＰＰａ）シグナリングを使用して、測定ギャップ構成を割り当てることを要求される、請求項１６に記載の方法。
【請求項１８】
ソフトウェアプログラム命令を含む非一時的コンピュータ読込可能媒体であって、少なくとも１つのデータプロセッサによる前記ソフトウェアプログラム命令の実行により、請求項１３から１７のいずれか１項に記載の方法を実行することを含む動作が実施結果として生じる、非一時的コンピュータ読込可能媒体。
【請求項１９】
少なくとも一つのデータプロセッサと、コンピュータプログラムコードを含む少なくとも１つのメモリとを備える装置であって、
前記メモリ及び前記コンピュータプログラムコードが、
少なくとも１つのデータプロセッサと共に、モバイルユーザノードがインター周波数参照信号時間差測定を実行できるようにするために、モバイルユーザノードに対して測定ギャップ構成を提供することの要求を含むシグナリングを受信する動作と、ダウンリンクシグナリング内でモバイルユーザノードに測定ギャップ構成を提供する動作と、モバイルユーザノードが要求されたインター周波数参照信号時間差測定を実行する間に、測定ギャップ構成に従って測定ギャップを生成する動作と、モバイルユーザノードがインター周波数参照信号時間差測定の実行を完了した後、測定ギャップ構成を削除する動作とを、装置に実行させるように構成されたことを特徴とする装置。
【請求項２０】
サービングアクセスノード内で実装された請求項１９に記載の装置であって、受信されるシグナリングが、測定ギャップ構成を割り当てることをサービングアクセスノードに要求するモバイルユーザノードから受信されるシグナリングを含む、装置。
【請求項２１】
受信されるシグナリングが、無線リソース制御シグナリングである、請求項２０に記載の装置。
【請求項２２】
サービングアクセスノード内で実装された請求項１９に記載の装置であって、受信されるシグナリングが、モバイルユーザノードにインター周波数参照信号時間差測定を実行するように指示したロケーションサーバから受信されるシグナリングを含み、受信されるシグナリングが、測定ギャップ構成を割り当てることをサービングアクセスノードに要求するものである、装置。
【請求項２３】
サービングアクセスノードが、ロング・ターム・エボリューション測位プロトコルＡ（ＬＰＰａ）シグナリングを使用して、測定ギャップ構成を割り当てることを要求される、請求項２２に記載の装置。
【請求項２４】
モバイルユーザノードがインター周波数参照信号時間差測定を実行できるようにするために、モバイルユーザノードに対して測定ギャップ構成を提供することの要求を含むシグナリングを受信するための手段と、
ダウンリンクシグナリング内でモバイルユーザノードに測定ギャップ構成を提供するための手段と、
モバイルユーザノードが要求されたインター周波数参照信号時間差測定を実行している間に、測定ギャップ構成に従って測定ギャップを生成するための手段と、
モバイルユーザノードがインター周波数参照信号時間差測定の実行を完了した後、測定ギャップ構成を削除するための手段と
を備えることを特徴とする装置。
【請求項２５】
サービングアクセスノード内で実装された請求項２４に記載の装置であって、受信されるシグナリングが、測定ギャップ構成を割り当てることをサービングアクセスノードに要求するモバイルユーザノードから受信される無線リソース制御シグナリングを含む、請求項２４に記載の装置。
【請求項２６】
サービングアクセスノード内で実装された請求項２４に記載の装置であって、受信されるシグナリングが、モバイルユーザノードにインター周波数参照信号時間差測定を実行するように指示した、ロケーションサーバから受信されるシグナリングを含み、受信されるシグナリングが、ロング・ターム・エボリューション測位プロトコルＡ（ＬＰＰａ）シグナリングを使用して、測定ギャップ構成を割り当てることをサービングアクセスノードに要求するものである、装置。
【発明の詳細な説明】
【技術分野】
【０００１】
本発明の代表的な及び非限定的な実施形態は、概して無線通信のシステム、方法、デバイス、及びコンピュータプログラムに関するものであり、より詳細には、モバイルノードの測位のための観測到達時間差技術に関するものである。
【背景技術】
【０００２】
この項は、特許請求の範囲において詳述される本発明に関する背景技術又は背景を説明することを意図している。本明細書における説明は、追試により確認できる概念を含むことがあり、必ずしも以前に着想され、実施され、又は記述されたものとは限らない。従って、本明細書において別途示されない限り、この項において説明される内容は、本出願における明細書及び特許請求の範囲に対する先行技術ではなく、この項に含まれるからといって従来技術と認められるものではない。
【０００３】
本明細書、及び、又は添付図面で使用されることがある次の略語は、次のように定義される。
３ＧＰＰ        第３世代移動体通信システムの標準化プロジェクト
ＢＳ            基地局
ＤＬ            ダウンリンク（ｅＮＢからＵＥ向けの）
ｅＮＢ          Ｅ−ＵＴＲＡＮノードＢ（進化型ノードＢ）
ＥＰＣ          進化型パケットコア
Ｅ−ＳＭＬＣ    進化型／改良サービングモバイルロケーションセンタ
Ｅ−ＵＴＲＡＮ  進化型／改良ＵＴＲＡＮ（ＬＴＥ）
ＩＭＴＡ        国際移動体電気通信協会
ＩＴＵ−Ｒ      国際電気通信連合−無線通信部門
ＬＰＰ          ＬＴＥ測位プロトコル
ＬＰＰａ        ＬＴＥ測位プロトコルＡ
ＬＴＥ          ＵＴＲＡＮ（Ｅ−ＵＴＲＡＮ）ロング・ターム・エボリューション
ＬＴＥ−Ａ      ＬＴＥアドバンスト
ＭＡＣ          媒体アクセス制御（レイヤ２、Ｌ２）
ＭＭ／ＭＭＥ    モビリティ管理／モビリティ管理エンティティ
ＮｏｄｅＢ      基地局
ＯＦＤＭＡ      直交周波数分割多元接続
ＯＴＤＯＡ      観測到達時間差
Ｏ＆Ｍ          オペレーションアンドメンテナンス
ＰＤＣＰ        パケットデータ輻輳制御プロトコル
ＰＤＵ          プロトコルデータユニット
ＰＨＹ          物理レイヤ（レイヤ１、Ｌ１）
Ｒｅｌ          リリース
ＲＬＣ          無線リンク制御
ＲＲＣ          無線リソース制御
ＲＲＭ          無線リソース管理
ＲＳＴＤ        参照信号時間差
ＳＦＮ          システムフレーム番号
ＳＧＷ          サービングゲートウェイ
ＳＵＰＬ        セキュアユーザプレーンロケーション
ＳＣ−ＦＤＭＡ  シングルキャリア周波数分割多元接続
ＵＥ            モバイルステーション、モバイルノード、モバイルターミナル等のユーザ端末
ＵＬ            アップリンク（ＵＥからｅＮＢ）
ＵＰＥ          ユーザプレーンエンティティ
ＵＴＲＡＮ      ユニバーサル地上波無線アクセスネットワーク
【０００４】
最新の通信システムの１つとして、進化型ＵＴＲＡＮ（ＵＴＲＡＮ−ＬＴＥ又はＥ−ＵＴＲＡとも呼ばれる、Ｅ−ＵＴＲＡＮ）が知られている。このシステムにおいて、ＤＬアクセス技術はＯＦＤＭＡであり、ＵＬアクセス技術はＳＣ−ＦＤＭＡである。
【０００５】
関連する仕様書の１つが非特許文献１であり、その全体が参照により本明細書に組み込まれる。このシステムは、便宜上ＬＴＥ  Ｒｅｌ−８と呼ばれることがある。一般的に、３ＧＰＰ  ＴＳ  ３６．ｘｙｚ（例えば、３６．２１１、３６．３１１、３６．３１２等）として一般に公開されている仕様書のセットは、リリース８  ＬＴＥシステムについて記述していると見ることができる。最近では、これらの仕様書の少なくとも幾つかについて、リリース９バージョンが公開されており、これらの中には、３ＧＰＰ  ＴＳ  ３６．３００、Ｖ９．３．０（２０１０−０３）が含まれる。
【０００６】
図１は、３ＧＰＰ  ＴＳ  ３６．３００  Ｖ８．１１．０（２００９−１２）の図４．１を複写したものであり、ＥＵＴＲＡＮシステム（Ｒｅｌ−８）の全体アーキテクチャを示している。このＥ−ＵＴＲＡＮシステムはｅＮＢを含むものであり、それぞれのｅＮＢは、Ｅ−ＵＴＲＡＮユーザプレーン（ＰＤＣＰ／ＲＬＣ／ＭＡＣ／ＰＨＹ）及びＵＥ向け制御プレーン（ＲＲＣ）プロトコル終端を提供する。これらのｅＮＢは、互いにＸ２インタフェースにより相互接続される。これらのｅＮＢは又、Ｓ１インタフェースによりＥＰＣに、具体的には、Ｓ１  ＭＭＥインタフェースによりＭＭＥに、Ｓ１インタフェース（ＭＭＥ／Ｓ−ＧＷ  ４）によりＳ−ＧＷに接続されている。Ｓ１インタフェースは、ＭＭＥ／Ｓ−ＧＷ／ＵＰＥとｅＮＢとの間で多数対多数の関係をサポートしている。
【０００７】
ｅＮＢは、以下の機能、すなわち、
ＲＲＣ、無線アドミッション制御、コネクションモビリティ制御、ＵＬ及びＤＬの両方におけるＵＥへのリソースの動的割当（スケジューリング）と、
ＩＰヘッダ圧縮及びユーザデータストリーム暗号化と、
ＵＥアタッチメントにおけるＭＭＥの選択と、
ＥＰＣ（ＭＭＥ／Ｓ−ＧＷ）向けユーザプレーンデータのルーティングと、
ページングメッセージ（ＭＭＥ起点）のスケジューリング及び伝送と、
ブロードキャスト情報（ＭＭＥ又はＯ＆Ｍ起点）のスケジューリング及び伝送と、
モビリティ及びスケジューリングの構成についての測定及び報告、
からなるＲＲＭのための機能をホストする。
【０００８】
更に、本発明に関連するものとして、将来のＩＭＴＡシステムに向けられる３ＧＰＰ  ＬＴＥ（例えばＬＴＥ  Ｒｅｌ−１０）のリリースがあり、本明細書においては、これを便宜上単にＬＴＥアドバンスト（ＬＴＥ−Ａ）と呼ぶ。この点については、非特許文献２を参照することができる。非特許文献３も又、参照することができる。
【０００９】
ＬＴＥ−Ａの最終目標は、低コストでデータレートを高めて待ち時間を短縮する手段により、著しく改良されたサービスを提供することである。ＬＴＥ−Ａは、低コストでより高いデータレートを提供するために、３ＧＰＰ  ＬＴＥ  Ｒｅｌ−８無線アクセス技術の拡張及び最適化に向けられている。ＬＴＥ−Ａは、ＬＴＥ−Ｒｅｌ−８との後方互換性を保ちつつＩＭＴアドバンストのためのＩＴＵ−Ｒ要求を充足させる、より最適化された無線システムとなるであろう。
【００１０】
ＬＴＥ及びＬＴＥ−Ａの一側面は、ＵＥの位置を定めることである。この点に関しては、例えば非特許文献４、非特許文献５及び非特許文献６を参照することができる。
【００１１】
図３を参照すると、進化型サービングモバイルロケーションセンタ（Ｅ−ＳＭＬＣ）は、ＬＴＥ測位プロトコル（ＬＰＰ）を使用してＵＥと通信する。Ｅ−ＳＭＬＣは、ＬＰＰ上で、ＵＥが測定を試行すると予期されるセルに関する情報をＵＥに供給すること、並びにＵＥからＯＴＤＯＡ測定報告を受信することができる。Ｅ−ＳＭＬＣは、ＵＥの測定及びセルの地理上の位置に関する演繹的な知識、並びにそれらの相対的な伝送時間差に基づく最終的な位置計算を担当している。
【００１２】
図４は、ＬＰＰプロトコル、並びに、ＭＭＥ及びｅＮＢを経由するＬＰＰプロトコルデータユニット（ＰＤＵ）配信（制御プレーンシグナリングフロー）のための制御プレーンネットワークアーキテクチャを示している。図５は、ＭＭＥ及びｅＮＢを経由するＵＥとＥ−ＳＭＬＣとの間のＬＰＰ−ＰＤＵ交換のための制御プレーンプロトコルスタックを示している。
【００１３】
図３、図４及び図５において、サーバ（Ｅ−ＳＭＬＣ）は、探索及び測定を行う対象なる可能性のある隣接セルのリストをＵＥに提供する。次にＵＥは、検出された隣接セルについてＯＴＤＯＡを測定し、報告する。サービングセル（サービングｅＮＢ）に加えて、少なくとも２つの隣接セルの検出が測位（三角測量）計算のために必要とされる。
【００１４】
ＵＥのＯＴＤＯＡ測定は、参照信号時間差（ＲＳＴＤ）測定と定義される。イントラ周波数隣接セルのＲＳＴＤ測定は、サービングセルの介入を全く必要とせず、したがって、ＵＥは、サービングセルとの通信リンクに影響を与えることなく測定を実行することができる。
【００１５】
しかしながら、インター周波数隣接セルにも適用可能なＲＳＴＤ測定を定義するＬＴＥ  Ｒｅｌ−９拡張においては、問題が発生する。発生する問題は、測定のためにＵＥの受信機を瞬間的に別の測定用周波数に同調させることが許可されている期間である、ＵＥの測定機会（測定ギャップ）をサービングセルが明示的に保証しない限り、ＵＥはサービングセル周波数伝送以外の周波数伝送を測定することができないことが予期されるという事実に関して生じる。
【００１６】
測定ギャップに関しては、例えば非特許文献７のセクション５．５．２．９  「Ｍｅａｓｕｒｅｍｅｎｔ  ｇａｐ  ｃｏｎｆｉｇｕｒａｔｉｏｎ」及びセクション６．３．５  「Ｍｅａｓｕｒｅｍｅｎｔ  ｉｎｆｏｒｍａｔｉｏｎ  ｅｌｅｍｅｎｔｓ」のＭｅａｓＣｏｎｆｉｇ  情報構成要素（１７８頁）及びＭｅａｓＧａｐＣｏｎｆｉｇ  情報構成要素（１７９頁）等を参照することができる。
【００１７】
セクション５．５．２．９において次のように記載されている。
ＵＥは次のようにすべきである。
１＞ｍｅａｓＧａｐＣｏｎｆｉｇが’ｓｅｔｕｐ’に設定されている場合には、
２＞測定ギャップ構成（Ｍｅａｓｕｒｅｍｅｎｔ  ｇａｐ  ｃｏｎｆｉｇｕｒａｔｉｏｎ）が既にセットアップされていれば、
測定ギャップ構成を解放し、
２＞受信したギャップオフセット（ｇａｐＯｆｆｓｅｔ）に従って、ｍｅａｓＧａｐＣｏｎｆｉｇにより示される測定ギャップ構成をセットアップする。すなわち、ギャップの各々が以下の条件に見合うＳＦＮ及びサブフレーム（ｓｕｂｆｒａｍｅ）で開始する。
ＳＦＮ  ｍｏｄ  Ｔ  ＝  ＦＬＯＯＲ（ｇａｐＯｆｆｓｅｔ／１０）；
ｓｕｂｆｒａｍｅ  ＝  ｇａｐＯｆｆｓｅｔ  ｍｏｄ  １０；
ｗｉｔｈ  Ｔ  ＝  ＭＧＲＰ（ＴＳ  ３６．１３３で定義）／１０
１＞その他の場合には、
２＞測定ギャップ構成を解放する。
【００１８】
最新のＲｅｌｅａｓｅ９標準により、サービングセルは、Ｅ−ＳＭＬＣがＵＥに対してＯＴＤＯＡ測位のためのインター周波数ＲＳＴＤ測定の実行を要求したことを検知する方法がなく、従って、サービングセルを制御するｅＮＢは、ＵＥが要求された測定を実行できるために必要な測定ギャップを、必要に応じて設定することができない。従って、サービングセルを制御するｅＮＢは、常に強制的に測定ギャップを設定することになり、このことはシステムリソースの無駄である。
【先行技術文献】
【非特許文献】
【００１９】
【非特許文献１】３ＧＰＰ  ＴＳ  ３６．３００，  Ｖ８．１１．０（２００９−１２），  ３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ａｃｃｅｓｓ  Ｎｅｔｗｏｒｋ（ＥＵＴＲＡＮ）；  Ｏｖｅｒａｌｌ  ｄｅｓｃｒｉｐｔｉｏｎ；  Ｓｔａｇｅ  ２（Ｒｅｌｅａｓｅ  ８）
【非特許文献２】３ＧＰＰ  ＴＲ  ３６．９１３，  Ｖ９．０．０  （２００９−１２），  ３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｒｅｑｕｉｒｅｍｅｎｔｓ  ｆｏｒ  Ｆｕｒｔｈｅｒ  Ａｄｖａｎｃｅｍｅｎｔｓ  ｆｏｒ  Ｅ−ＵＴＲＡ  （ＬＴＥ−  Ａｄｖａｎｃｅｄ）  （Ｒｅｌｅａｓｅ  ９）
【非特許文献３】３ＧＰＰ  ＴＲ  ３６．９１２  Ｖ９．２．０  （２０１０−０３）  Ｔｅｃｈｎｉｃａｌ  Ｒｅｐｏｒｔ  ３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｆｅａｓｉｂｉｌｉｔｙ  ｓｔｕｄｙ  ｆｏｒ  Ｆｕｒｔｈｅｒ  Ａｄｖａｎｃｅｍｅｎｔｓ  ｆｏｒ  Ｅ−ＵＴＲＡ  （ＬＴＥ−Ａｄｖａｎｃｅｄ）  （Ｒｅｌｅａｓｅ  ９）
【非特許文献４】３ＧＰＰ  ＴＳ  ３６．３０５  Ｖ９．３．０  （２０１０−０６）  Ｔｅｃｈｎｉｃａｌ  Ｓｐｅｃｉｆｉｃａｔｉｏｎ  ３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−  ＵＴＲＡＮ）；  Ｓｔａｇｅ  ２  ｆｕｎｃｔｉｏｎａｌ  ｓｐｅｃｉｆｉｃａｔｉｏｎ  ｏｆ  Ｕｓｅｒ  Ｅｑｕｉｐｍｅｎｔ  （ＵＥ）  ｐｏｓｉｔｉｏｎｉｎｇ  ｉｎ  Ｅ−  ＵＴＲＡＮ  （Ｒｅｌｅａｓｅ  ９）
【非特許文献５】３ＧＰＰ  ＴＳ  ３６．３５５  Ｖ９．２．１  （２０１０−０６）  Ｔｅｃｈｎｉｃａｌ  Ｓｐｅｃｉｆｉｃａｔｉｏｎ  ３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  ＬＴＥ  Ｐｏｓｉｔｉｏｎｉｎｇ  Ｐｒｏｔｏｃｏｌ  （ＬＰＰ）  （Ｒｅｌｅａｓｅ  ９）
【非特許文献６】３ＧＰＰ  ＴＳ  ３６．４５５  Ｖ９．３．０  （２０１０−０９）  Ｔｅｃｈｎｉｃａｌ  Ｓｐｅｃｉｆｉｃａｔｉｏｎ  ３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  ＬＴＥ  Ｐｏｓｉｔｉｏｎｉｎｇ  Ｐｒｏｔｏｃｏｌ  Ａ  （ＬＰＰａ）  （Ｒｅｌｅａｓｅ  ９）
【非特許文献７】３ＧＰＰ  ＴＳ  ３６．３３１  Ｖ９．３．０  （２０１０−０６）  Ｔｅｃｈｎｉｃａｌ  Ｓｐｅｃｉｆｉｃａｔｉｏｎ  ３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｒａｄｉｏ  Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ  （Ｒｅｌｅａｓｅ  ９）
【発明の概要】
【発明が解決しようとする課題】
【００２０】
モバイルノードの測位のための観測到達時間差技術に関する無線通信システム、方法、デバイス、及びコンピュータプログラムを提供すること。
【課題を解決するための手段】
【００２１】
本発明の代表的な実施形態の第１の態様によれば、方法は、モバイルユーザノードのロケーションサーバからインター周波数参照信号時間差測定の実行要求を受信する段階と、サービングアクセスノードから測定ギャップ構成を受信する段階と、要求されたインター周波数参照信号時間差測定を割り当てられた測定ギャップの間に実行する段階と、インター周波数参照信号時間差測定の結果をロケーションサーバに報告する段階とを備える。
【００２２】
本発明の代表的な実施形態の別の態様によれば、装置は、少なくとも１つのデータプロセッサ、及びコンピュータプログラムコードを含む少なくとも１つのメモリを備える。メモリ及びコンピュータプログラムコードは、少なくとも一つのデータプロセッサと共に、モバイルユーザノードのロケーションサーバからインター周波数参照信号時間差測定の実行要求を受信する動作と、サービングアクセスノードから測定ギャップ構成を受信する動作と、要求されたインター周波数参照信号時間差測定を割り当てられた測定ギャップの間に実行する動作と、インター周波数参照信号時間差測定の結果をロケーションサーバに報告する動作とを装置に実行させるように構成される。
【００２３】
本発明の代表的な実施形態の別の態様によれば、装置は、モバイルユーザノードのロケーションサーバからインター周波数参照信号時間差測定の実行要求を受信するための手段と、サービングアクセスノードから測定ギャップ構成を受信するための手段と、要求されたインター周波数参照信号時間差測定を割り当てられた測定ギャップの間に実行するための手段と、インター周波数参照信号時間差測定の結果をロケーションサーバに報告するための手段とを備える。
【００２４】
本発明の代表的な実施形態の別の態様によれば、方法は、モバイルユーザノードがインター周波数参照信号時間差測定を実行するために、モバイルユーザノードに対して測定ギャップ構成を提供することの要求を含むシグナリングを受信する段階と、ダウンリンクシグナリング内でモバイルユーザノードに測定ギャップ構成を提供する段階と、モバイルユーザノードが要求されたインター周波数参照信号時間差測定を実行する間に、測定ギャップ構成に従って測定ギャップを生成する段階と、モバイルユーザノードがインター周波数参照信号時間差測定の実行を完了した後、測定ギャップ構成を削除する段階とを備える。
【００２５】
本発明の代表的な実施形態の更に別の態様によれば、装置は、少なくとも１つのデータプロセッサ、及び、コンピュータプログラムコードを含む少なくとも１つのメモリを備える。メモリ及びコンピュータプログラムコードは、少なくとも一つのデータプロセッサと共に、モバイルユーザノードがインター周波数参照信号時間差測定を実行するために、モバイルユーザノードに対して測定ギャップ構成を提供することの要求を含むシグナリングを受信する動作と、ダウンリンクシグナリング内でモバイルユーザノードに測定ギャップ構成を提供する動作と、モバイルユーザノードが要求されたインター周波数参照信号時間差測定を実行する間に、測定ギャップ構成に従って測定ギャップを生成する動作と、モバイルユーザノードがインター周波数参照信号時間差測定の実行を完了した後、測定ギャップ構成を削除する動作とを、装置に実行させるように構成される。
【００２６】
本発明の代表的な実施形態の更に別の態様によれば、装置は、モバイルユーザノードがインター周波数参照信号時間差測定を実行するために、モバイルユーザノードに対して測定ギャップ構成を提供することの要求を含むシグナリングを受信するための手段と、ダウンリンクシグナリング内でモバイルユーザノードに測定ギャップ構成を提供するための手段と、モバイルユーザノードが要求されたインター周波数参照信号時間差測定を実行する間に、測定ギャップ構成に従って測定ギャップを生成するための手段と、モバイルユーザノードがインター周波数参照信号時間差測定の実行を完了した後、測定ギャップ構成を削除するための手段とを備える。
【図面の簡単な説明】
【００２７】
添付図面は以下のとおりである。
【図１】３ＧＰＰ  ＴＳ  ３６．３００の図４．１の複写であり、ＥＵＴＲＡＮシステムの全体アーキテクチャを示す。
【図２】本発明の代表的な実施形態の実現において利用に適する様々な電子デバイスの簡略的なブロック図を示す。
【図３】ＬＴＥにおけるＯＴＤＯＡの論理的な図である。
【図４】ＬＰＰプロトコルのための制御プレーンネットワークアーキテクチャを示す。
【図５】制御プレーンプロトコルスタック、及びＵＥとＥ−ＳＭＬＣとの間のＬＰＰ−ＰＤＵ交換のための様々なインタフェースを示す。
【図６】ＵＥが、測定ギャップを提供することをｅＮＢに要求して、インター周波数参照信号時間差測定を実行するための処理手順をメッセージフローの形式で示す。
【図７】ロケーションサーバ（Ｅ−ＳＭＬＣ）が、ＵＥに対して測定ギャップを提供することをｅＮＢに要求して、インター周波数参照信号時間差測定を実行するための処理手順をメッセージフローの形式で示す。
【図８】本発明の代表的な実施形態による、方法の動作及びコンピュータ読込可能メモリ上で実装されたコンピュータプログラム命令の実行結果を示す論理流れ図である。
【図９】本発明の代表的な実施形態による、方法の動作及びコンピュータ読込可能メモリ上で実装されたコンピュータプログラム命令の実行結果を示す論理流れ図である。
【発明を実施するための形態】
【００２８】
例えば、ＷＣＤＮＡシステムにおいては、各セルがダウンリンク内でアイドル期間の所定のパターンを生成するように静的に設定され、該アイドル期間内に、ＵＥが、サービングセルにより干渉されることなく遠隔の各セルを測定することができるか、又は、測定のために他の周波数帯域にＵＥの受信機を同調させることができるため、前述の問題は生じない。更に、測定を実行するために復号されるパイロットチャネルは、ＵＥが復号するために常に利用可能である。しかしながら、この従来の手法は、ＬＴＥ環境において、特にインター周波数測定の場合には、すべてのＵＥに対して測定ギャップを設定することがｅＮＢにとって必要になるように変換されることになる。
【００２９】
イントラ周波数の遠近問題に関しては、直交参照信号に基づく別の解決方法が構築された。しかしながらこの解決方法は、ＵＥがインター周波数ＯＴＤＯＡ測定を実行しているかどうかとは無関係に、インター周波数測定との互換性がない。
【００３０】
従って、測定ギャップの静的な設定は、インター周波数ＯＴＤＯＡ測定がごくまれにしか実行されないにもかかわらず、すべてのユーザにとって、常時、リンク効率の損失につながることになり、従って静的な測定ギャップ構成を、非常に非効率なものにする。
【００３１】
本発明の代表的な実施形態をより詳細に説明する前に、本発明の代表的な実施形態の実現において利用するのに適した、様々な電子デバイス及び装置の簡略的なブロック図を示す、図２を参照する。図２において、無線ネットワーク１が、無線リンク１１上で、ＮｏｄｅＢ（基地局）、より具体的にはｅＮＢ１２のようなネットワークアクセスノードを経由して、装置と、例えば、ＵＥ１０と呼称することができるモバイル通信デバイスと通信するために採用される。ネットワーク１は、ネットワーク制御要素（ＮＣＥ）１４を含むものとすることができ、このネットワーク制御要素（ＮＣＥ）１４は、図１に示すＭＭＥ／ＳＧＷ機能を含むものとすることができ、ネットワーク制御要素は、電話網、及び／又はデータ通信網（例えば、インターネット）のような、別のネットワークとの接続を提供する。ＵＥ１０は、少なくとも１つのコンピュータ又はデータプロセッサ（ＤＰ）１０Ａのようなコントローラ、コンピュータ命令（ＰＲＯＧ）１０Ｃのプログラムを格納するメモリ（ＭＥＭ）１０Ｂとしての実施形態である少なくとも１つの非一時的コンピュータ読込可能メモリ媒体、及び１又は複数のアンテナを経由するｅＮＢ１２との双方向無線通信のための少なくとも１つの適切な無線周波数（ＲＦ）送信機／受信機一式（トランシーバ）１０Ｄを含む。ｅＮＢ１２においても、少なくとも１つのコンピュータ又はデータプロセッサ（ＤＰ）１２Ａのようなコントローラ、コンピュータ命令（ＰＲＯＧ）１２Ｃのプログラムを格納するメモリ（ＭＥＭ）１２Ｂとしての実施形態である少なくとも１つの非一時的コンピュータ読込可能メモリ媒体、及び１又は複数のアンテナ（一般に、マルチプルインプットマルチプルアウトプット（ＭＩＭＯ）動作使用中は複数）を経由するＵＥ１０との通信のための少なくとも１つの適切なＲＦトランシーバ１２Ｄが含まれる。ｅＮＢ１２は、データ／制御パス１３を経由してＮＣＥ１４と連結される。パス１３は、図１に示すＳ１インタフェースとして実装することができる。ｅＮＢ１２は、図１に示すＸ２インタフェースとして実装することができるデータ／制御パス１５を経由して別のｅＮＢと連結することもできる。
【００３２】
本発明の代表的な実施形態を説明するために、ＵＥ１０は、更に測定ユニット１０Ｅを含むと仮定することができ、該測定ユニット１０Ｅは、インター周波数隣接セル測定を含む、異なる隣接セルに対するＯＴＤＯＡ測定を実行するための受信機と連携して使用することができる。
【００３３】
ＰＲＯＧ１０Ｃ、１２Ｃの少なくとも１つは、関連するＤＰにより実行される時、以下により詳細に説明する本発明の代表的な実施形態に従ってデバイスを動作可能にするプログラム命令を含むものと仮定する。すなわち、本発明の代表的な実施形態は、少なくとも部分的には、ＵＥ１０のＤＰ１０Ａ、及び／又はｅＮＢ１２のＤＰ１２Ａにより実行することができるコンピュータソフトウェア、ハードウェア、又はソフトウェアとハードウェア（とファームウェア）との組み合わせにより実装することができる。
【００３４】
一般的に、ＵＥ１０の様々な実施形態は、携帯電話、無線通信能力を有する携帯情報端末（ＰＤＡ）、無線通信能力を有するポータブルコンピュータ、無線通信能力を有するデジタルカメラ等の画像キャプチャデバイス、無線通信能力を有するゲームデバイス、無線通信能力を有する音楽記憶装置及び再生装置、無線インターネットアクセス及びブラウジング可能なインターネット装置、並びに前記各機能の組合せが組み込まれたポータブルユニット又は端末を含むことができるが、それらに限定されるものではない。
【００３５】
コンピュータ読込可能ＭＥＭ１０Ｂ及び１２Ｂは、ローカル技術環境に適するものであれば、どのような種類のものであってもよく、適切なデータ記憶技術、例えば、半導体ベースメモリデバイス、ランダムアクセスメモリ、読み出し専用メモリ、プログラム可能読み出し専用メモリ、フラッシュメモリ、磁気メモリデバイス及びシステム、光メモリデバイス及びシステム、固定メモリ及びリムーバブルメモリのような技術のいずれかを使用して実行することができる。ＤＰ１０Ａ及びＤＰ１２Ａは、ローカル技術環境に適するものであれば、どのような種類のものであってもよく、非限定な例として、汎用コンピュータ、特殊目的コンピュータ、マイクロプロセッサ、デジタルシグナルプロセッサ（ＤＳＰ）、及びマルチコアプロセッサアーキテクチャに基づくプロセッサの１又は複数を含むことができる。
【００３６】
本発明の代表的な実施形態によれば、ｅＮＢ１２は、インター周波数ＯＴＤＯＡのために設定されている特定のＵＥ１０が通知され、従って、測定実行可能な測定ギャップの必要性を知るようになる。このようにして、ｅＮＢ１２は、所定期間の間に、又はＯＴＤＯＡ測定処理手順が完了したことが通知されるまで、特定のＵＥに適切な測定ギャップを設定することができる。
【００３７】
より具体的には、ＵＥ１０は、ロケーションサーバ（Ｅ−ＳＭＬＣ１８）による第１のプロトコル（ＬＰＰ）を使用して、インター周波数ＯＴＤＯＡ測定を実行するように設定される。ｅＮＢ１２は、特定のＵＥ１０がインター周波数ＯＴＤＯＡ測定を実行するように設定されていることを、第２のプロトコルを使用して通知される。第２のプロトコルは、例えば、ＵＥ１０とｅＮＢ１２との間のＵｕインタフェース上のＲＲＣプロトコル（図６参照）又はＭＭＥ１６を経由するｅＮＢ１２とＥ−ＳＭＬＣ１８との間のＬＰＰａプロトコル（図７参照）とすることができる。ｅＮＢ１２は、ある所定の期間、又はＯＴＤＯＡ処理手順が完了したことをＵＥ又はＥ−ＳＭＬＣ１８により通知されるまで、ＲＲＣプロトコルレイヤ上でＵＥ１０に測定ギャップを設定する。所定の期間の値は、ｅＮＢ１２の実装に委ねてよいか、又はＵＥ１０から測定ギャップ構成を削除する時点に関してｅＮＢ１２に通知するように、シグナリング（例えば、ＲＲＣ又はＬＰＰａシグナリング）を取り決めることができる。ＲＲＣ（又はＬＰＰａ）シグナリングが使用される場合には、ｅＮＢ１２にインター周波数測定の開始及び停止の信号を送ることは代表的な実施形態の範囲内である。どのような場合においても、ＵＥ１０は、サービングｅＮＢ１２により提供された測定ギャップを使用して各インター周波数セルに対してインター周波数ＲＳＴＤを測定する。次にＵＥ１０は、第１のプロトコル（ＬＰＰ）を使用してインター周波数ＲＳＴＤ測定結果をＥ−ＳＭＬＣ１８に報告する。
【００３８】
前の段落で述べたように、１つの代表的な実施形態においては、ＵＥ１０が、ｅＮＢ１２からの測定ギャップ構成を要求し、一方、別の代表的な実施形態においては、Ｅ−ＳＭＬＣ１８が、ＵＥ１０に測定ギャップを提供する必要があることをｅＮＢ１２に通知する。ＵＥ１０がｅＮＢ１２からの測定ギャップを要求する第１の代表的な実施形態は、制御プレーン及びユーザプレーンＬＰＰプロトコル配信モードの両方に容易に適合でき、従って、Ｅ−ＳＭＬＣ１８ロケーションサーバがＬＰＰａシグナリングを使用してｅＮＢ１２と通信することを必要としない点で、技術的に利点がある。この後者の手法においては、ＯＴＤＯＡ測位の方法／機能のためにＬＰＰａを使用した動的シグナリングの使用すること、及び、ユーザプレーンアーキテクチャにおいてＯＴＤＯＡ測位が使用される時にＬＰＰａへの依存性を生じさせることが必須とされる場合がある。
【００３９】
ＵＥ１０が、測定ギャップを提供することをｅＮＢ１２に要求するための処理手順のメッセージフロー図を示す図６を参照する。
【００４０】
１）ロケーションサーバ（Ｅ−ＳＭＬＣ１８）が、ＬＰＰプロトコルを使用して、インター周波数ＲＳＴＤ測定を実行することをＵＥ１０に要求する。
２）ＵＥは、測定ギャップが割り当てられておらずインター周波数ＲＳＴＤ測定を実行することができないことを検出する。
３）ＵＥ１０は、ＲＲＣプロトコルを使用して、インター周波数ＲＳＴＤ測定を実行する必要があり、測定ギャップが割り当てられる必要があることをｅＮＢ１２に通知する。
４）ｅＮＢ１２は、ＵＥ１０に測定ギャップを提供することを決定する。
５）ｅＮＢ１２は、ＲＲＣプロトコルを使用して、ＵＥ１０に測定ギャップ構成を提供する。
６）ｅＮＢ１２は、提供された構成に従って測定ギャップを生成する。
７）ＵＥ１０は、割り当てられた測定ギャップの間にインター周波数ＲＳＴＤを測定する。
８）ＵＥ１０は、ＬＰＰプロトコルを使用して、インター周波数ＲＳＴＤ測定結果をロケーションサーバ（Ｅ−ＳＭＬＣ１８）に報告する。
９）ｅＮＢ１２は、ＲＲＣプロトコルを使用して、ＵＥ１０から測定ギャップ構成を削除する。
【００４１】
Ｅ−ＳＭＬＣ１８が、ＵＥ１０に対して測定ギャップを提供することをｅＮＢ１２に要求するための処理手順のメッセージフロー図を示す図６を参照する。段階２及び段階３が図６に示す処理手順の段階２及び段階３と異なることに注意されたい。
【００４２】
１）ロケーションサーバ（Ｅ−ＳＭＬＣ１８）が、ＬＰＰプロトコルを使用して、インター周波数ＲＳＴＤ測定を実行することをＵＥ１０に要求する。
２）ロケーションサーバ（Ｅ−ＳＭＬＣ１８）が、ＵＥ１２が測定ギャップなしにはインター周波数ＲＳＴＤ測定を実行することができないことを判断する。この判断は、以前に得たＵＥ１０の能力に基づいて行うことができる。
３）ロケーションサーバ（Ｅ−ＳＭＬＣ１８）が、ネットワークプロトコル（ＬＰＰａ）を使用して、特定のＵＥ１０がインター周波数ＲＳＴＤ測定を実行する必要があり、測定を実行するために測定ギャップを割り当てる必要があることをｅＮＢ１２に通知する。
４）ｅＮＢ１２は、ＵＥ１０に測定ギャップを提供することを決定する。
５）ｅＮＢ１２は、ＲＲＣプロトコルを使用して、ＵＥ１０に測定ギャップ構成を提供する。
６）ｅＮＢ１２は、提供された構成に従って測定ギャップを生成する。
７）ＵＥ１０は、割り当てられた測定ギャップの間にインター周波数ＲＳＴＤを測定する。
８）ＵＥ１０は、ＬＰＰプロトコルを使用して、インター周波数ＲＳＴＤ測定結果をロケーションサーバ（Ｅ−ＳＭＬＣ１８）に報告する。
９）ｅＮＢ１２は、ＲＲＣプロトコルを使用して、ＵＥ１０から測定ギャップ構成を削除する。
【００４３】
これらの段階及び結果として生じるメッセージフローは、説明した順番と異なる順番とすることも可能である。例えば、図７の段階１及び段階２の順番は、逆にすることもできる。
【００４４】
上記に基づけば、本発明の代表的な実施形態が、ＵＥ１０によるインター周波数ＲＳＴＤ測定実施を遂行するための方法、装置、及びコンピュータプログラム（群）を提供することは明白であろう。
【００４５】
図８は、本発明の代表的な実施形態による、方法の動作、及びコンピュータプログラム命令の実行結果を示す論理流れ図である。該代表的な実施形態により、そしてモバイルユーザノードの観点から、方法は、ブロック８Ａにおいて、モバイルユーザノードのロケーションサーバからインター周波数参照信号時間差測定の実行要求を受信する段階を実行する。ブロック８Ｂには、サービングアクセスノードから測定ギャップ構成を受信する段階がある。ブロック８Ｃには、要求されたインター周波数参照信号時間差測定を割り当てられた測定ギャップの間に実行する段階がある。ブロック８Ｄには、インター周波数参照信号時間差測定の結果をロケーションサーバサーバに報告する段階がある。
【００４６】
図８の方法において、ブロック８Ｂ内で実行される段階は、モバイルユーザノードが、測定ギャップ構成を割り当てることをサービングアクセスノードに要求する前段階を備える。
【００４７】
前段落の方法において、モバイルユーザノードは、無線リソース制御シグナリングを使用して、測定ギャップ構成を割り当てることをサービングアクセスノードに要求する。
【００４８】
図８の方法において、ブロック８Ｂ内で実行される段階は、ロケーションサーバが、測定ギャップ構成を割り当てることをサービングアクセスノードに要求する前段階を備える。
【００４９】
前記段落の方法において、ロケーションサーバは、ロング・ターム・エボリューション測位プロトコルＡ（ＬＰＰａ）シグナリングを使用して、測定ギャップ構成を割り当てることをサービングアクセスノードに要求する。
【００５０】
代表的な実施形態においては、少なくとも１つのデータプロセッサによるソフトウェアプログラム命令の実行により、図８の方法の実行及び前述のいくつかの段落の実行を含む動作が実施結果として生じる、ソフトウェアプログラム命令を含む非一時的コンピュータ読込可能媒体も含まれる。
【００５１】
図８に示す様々なブロックは、方法の段階として、及び／又はコンピュータプログラムコードの動作の結果として生じる動作として、及び／又は関連する機能（群）を実行するために構成された複数の連結した論理回路構成要素と見ることができる。
【００５２】
更に、１つのプロセッサとコンピュータプログラムコードを含む少なくとも１つのメモリとを備える装置が開示されており、これらメモリ及びコンピュータプログラムコードは、少なくとも１つのプロセッサと共に、装置に、モバイルユーザノードのロケーションサーバからインター周波数参照信号時間差測定の実行要求を受信し、サービングアクセスノードから測定ギャップ構成を受信し、割り当てられた測定ギャップの間に要求されたインター周波数参照信号時間差測定を実行し、インター周波数参照信号時間差測定の結果をロケーションサーバに報告する動作を行わせるように構成される。
【００５３】
この装置において、測定ギャップ構成を受信する動作の前に、データプロセッサが、ＲＲＣシグナリングを使用して、測定ギャップ構成を割り当てることをサービングアクセスノードに要求する動作がある。
【００５４】
この装置において、測定ギャップ構成を受信する動作の前に、ロケーションサーバが、ＬＰＰａシグナリングを使用して、測定ギャップ構成を割り当てることをサービングアクセスノードに要求する動作がある。
【００５５】
代表的な実施形態は更に、モバイルユーザノードのロケーションサーバからインター周波数参照信号時間差測定の実行要求を受信する（例えば、トランシーバ１０Ｄの受信器、ＤＰ１０Ａ、プログラム１０Ｃ）ための手段と、サービングアクセスノードから測定ギャップ構成を受信する（例えば、トランシーバ１０Ｄの受信器、ＤＰ１０Ａ、プログラム１０Ｃ）ための手段と、要求されたインター周波数参照信号時間差測定を割り当てられた測定ギャップの間に実行する（例えば、測定ユニット１０Ｅ）ための手段と、インター周波数参照信号時間差測定の結果をロケーションサーバに報告する（例えば、トランシーバ１０Ｄの送信器、ＤＰ１０Ａ、プログラム１０Ｃ）ための手段とを備える装置に関する。
【００５６】
サービングアクセスノードから測定ギャップ構成を受信するための手段は、無線リソース制御シグナリングを使用して、測定ギャップ構成を割り当てることをサービングアクセスノードに要求するための手段と連携して動作する。
【００５７】
サービングアクセスノードから測定ギャップ構成を受信するための手段は、ロング・ターム・エボリューション測位プロトコルＡ（ＬＰＰａ）シグナリングを使用して、測定ギャップ構成を割り当てることをサービングアクセスノードに要求するロケーションサーバと連携して動作することもできる。
【００５８】
図９は、本発明の更なる代表的な実施形態による方法の動作及びコンピュータプログラム命令の実行結果を示す論理流れ図である。これら代表的な実施形態により、そしてモバイルユーザノードにサービスを提供するアクセスノードの観点から、方法は、ブロック９Ａにおいて、モバイルユーザノードがインター周波数参照信号時間差測定を実行するために、モバイルユーザノードに対して測定ギャップ構成を提供することの要求を含むシグナリングを受信する段階を実行する。ブロック９Ｂには、ダウンリンクシグナリング内でモバイルユーザノードに測定ギャップ構成を提供する手段がある。ブロック９Ｃには、モバイルユーザノードが要求されたインター周波数参照信号時間差測定を実行する間に実行される、測定ギャップ構成に従って測定ギャップを生成する段階がある。ブロック９Ｄには、モバイルユーザノードがインター周波数参照信号時間差測定の実行を完了した後、測定ギャップ構成を削除する段階がある。
【００５９】
図９の方法において、ブロック９Ａで受信されるシグナリングは、測定ギャップ構成の割り当てをサービングアクセスノードに要求する、モバイルユーザノードから受信されるシグナリングを含む。
【００６０】
前述の段落の方法において、モバイルユーザノードは、無線リソース制御シグナリングを使用して、測定ギャップ構成を割り当てることをサービングアクセスノードに要求する。
【００６１】
図９の方法において、ブロック９Ａで受信されるシグナリングは、モバイルユーザノードに対しインター周波数参照信号時間差測定を実行するように指示したロケーションサーバから受信されるシグナリングを含み、受信されるシグナリングは、測定ギャップ構成を割り当てることをサービングアクセスノードに要求する。
【００６２】
前述の段落の方法において、ロケーションサーバは、ロング・ターム・エボリューション測位プロトコルＡ（ＬＰＰａ）シグナリングを使用して、測定ギャップ構成を割り当てることをサービングアクセスノードに要求する。
【００６３】
代表的な実施形態においては更に、少なくとも１つのデータプロセッサによるソフトウェアプログラム命令の実行により、図９の方法及び前述のいくつかの段落の方法の実行を含む動作が実施結果として生じる、ソフトウェアプログラム命令を含む、非一時的コンピュータ読込可能媒体が含まれる。
【００６４】
図９に示す様々なブロックは、方法の段階、及び／又はコンピュータプログラムコードの動作の結果として生じる動作、及び／又は関連する機能を実行するために構成された複数の連結した論理回路構成要素と見ることができる。
【００６５】
更に、少なくとも１つのプロセッサ、及び、コンピュータプログラムコードを含む少なくとも１つのメモリを備える装置が開示されており、これらメモリ及びコンピュータプログラムコードは、少なくとも１つのプロセッサと共に、モバイルユーザノードがインター周波数参照信号時間差測定を実行するために、モバイルユーザノードに対して測定ギャップ構成を提供することの要求を含むシグナリングを受信する動作と、モバイルユーザノードが要求されたインター周波数参照信号時間差測定を実行する間に、ダウンリンクシグナリング内でモバイルユーザノードに測定ギャップ構成を提供する動作と、測定ギャップ構成に従って測定ギャップを生成する動作と、モバイルユーザノードがインター周波数参照信号時間差測定の実行を完了した後、測定ギャップ構成を削除する動作とを、装置に行わせるように構成される。
【００６６】
装置の１つの実施形態においては、受信されるシグナリングは、装置に測定ギャップ構成を割り当てるように要求するためのモバイルユーザノードからの無線リソース制御シグナリングを含む。一方、別の実施形態においては、受信されるシグナリングは、装置に測定ギャップ構成を割り当てるように要求するためのロケーションサーバからのロング・ターム・エボリューション測位プロトコルＡ（ＬＰＰａ）シグナリングを含み、ロケーションサーバは、モバイルユーザノードにインター周波数参照信号時間差測定を実行するように指示する。
【００６７】
モバイルユーザノードがインター周波数参照信号時間差測定を実行するために、モバイルユーザノードに対して測定ギャップ構成を提供することの要求を含むシグナリングを受信する（例えば、トランシーバ１２Ｄの受信器、ＤＰ１２Ａ、プログラム１２Ｃ）ための手段と、ダウンリンクシグナリング内でモバイルユーザノードに測定ギャップ構成を提供する（例えば、トランシーバ１２Ｄの送信器、ＤＰ１２Ａ、プログラム１２Ｃ）ための手段と、モバイルユーザノードが要求されたインター周波数参照信号時間差測定を実行する間に、測定ギャップ構成に従って測定ギャップを生成する（例えば、ＤＰ  １２Ａ、プログラム１２Ｃ）ための手段と、モバイルユーザノードがインター周波数参照信号時間差測定の実行を完了した後、測定ギャップ構成を削除する（例えば、ＤＰ１２Ａ、プログラム１２Ｃ）ための手段とを備える装置も開示される。
【００６８】
一般的に、これら様々な実施形態は、ハードウェア若しくは特殊目的回路、ソフトウェア、ロジック、又はそれらの任意の組合せ内で実行することができる。例えば、ある態様は、ハードウェア内で実行されることがあり、一方、別の態様は、コントローラ、マイクロプロセッサ、その他のコンピューティングデバイスにより実行される、ファームウェア又はソフトウェア内で実行されることがあるが、本発明はそれらに限定されるものではない。本発明の代表的な実施形態の様々な態様は、ブロック図として、フローチャートとして、又は他の図形表示を使用して示され、説明されることがあるが、本明細書で説明されるブロック、装置、システム、技術又は方法は、ハードウェア、ソフトウェア、ファームウェア、特殊目的回路若しくはロジック、汎用目的ハードウェア若しくはコントローラ若しくはその他のコンピューティングデバイス、又はそれらのいくつかの組合せの形で、非限定的な例として、実行できることは、十分に理解されている。
【００６９】
従って、本発明の代表的な実施形態のいくつかの態様は、集積回路チップ及びモジュールのような様々な構成要素により実施することができ、本発明の代表的な実施形態は、集積回路として実装される装置内で実現できることを理解すべきである。１又は複数の集積回路は、１又は複数のデータプロセッサと、１又は複数のデジタル信号プロセッサと、本発明の代表的な実施形態に従って動作するように構成可能な、ベースバンド回路構成要素及び無線周波数回路構成要素の、少なくとも１つ又はそれ以上のものを実装するための回路構成要素（おそらくファームウェアと同様）を含むことができる。
【００７０】
前述の説明を添付図面と合わせて参照することにより、本発明の前述の代表的な実施形態について、様々な変更例及び適応例が当業者に明らかになるであろう。しかしながら、これら変更例のいずれも、或いは、そのすべては、本発明の非限定的な及び代表的な実施形態の範囲内に依然として含まれるものである。
【００７１】
例えば、上記において、代表的な実施形態は、ＵＴＲＡＮ  ＬＴＥ及びＬＴＥ−Ａシステムに関連して説明されているが、本発明の代表的な実施形態は、無線通信システムのこれらの特定の種類のみにおける利用に限定されず、ユーザ端末がインター周波数位置決定関連の測定を実行するために割り当てられる少なくとも１つの測定ギャップを必要とする、他の無線通信システムにおいて好都合に利用することができることを理解されたい。
【００７２】
「接続される」という用語、「連結される」という用語、又はそれらの別の用語は、複数の構成要素の間の、直接の又は間接の、任意の接続又は任意の連結を意味する。各構成要素の間の連結又は接続は、物理的なもの、論理的なもの、又はそれらの組合せとすることができる。ここで採用されている場合の２つの構成要素は、電線、ケーブル、及び／又はプリント配線による電気接続の１又は複数を使用すること、並びに、無線周波数領域、マイクロ波領域、及び光（可視及び不可視）領域内の波長を有する電磁気エネルギーのような電磁気エネルギーを使用することによるものは、互いに「接続」又は「連結」された、と考えることができ、これらは、いくつかの非限定的及び非網羅的な例として挙げるものである。
【００７３】
更に、説明したインタフェース、プロトコル、及び測定種類（例えば、ＲＲＣ、ＬＰＰ、ＲＳＴＤ、等）に関して使用される様々な名称は、如何なる意味でも制限していることを意図しておらず、これらのインタフェース、プロトコル、及び測定種類はどのような適切な名称で表示することもできる。更に、異なるネットワーク構成要素（例えば、ｅＮＢ、ＭＭＥ、Ｅ−ＳＭＬＣ）に付けられた名称は、如何なる意味でも、制限していることを意図しておらず、それらの様々なネットワーク構成要素はどのような適切な名称でも表示することができる。
【００７４】
更に、本発明の様々な非限定的な及び代表的な実施形態の機能のいくつかは、対応する他の機能を利用することなく好都合に利用できる。前述の説明は、それ自体は単に、方針、教示、及び本発明の代表的な実施形態を示しており、それらを制限するものではないことを理解されたい。
【符号の説明】
【００７５】
１０    ＵＥ
１０Ａ  データプロセッサ（ＤＰ）
１０Ｂ  メモリ
１０Ｃ  コンピュータ命令（ＰＲＯＧ）
１０Ｄ  ＲＦトランシーバ
１０Ｅ  測定ユニット
１２    ｅＮＢ
１２Ａ  データプロセッサ（ＤＰ）
１２Ｂ  メモリ
１２Ｃ  コンピュータ命令（ＰＲＯＧ）
１２Ｄ  ＲＦトランシーバ
１３    データ／制御パス
【図１】
2013545332.tif 000003
【図２】
2013545332.tif 000004
【図３】
2013545332.tif 000005
【図４】
2013545332.tif 000006
【図５】
2013545332.tif 000007
【図６】
2013545332.tif 000008
【図７】
2013545332.tif 000009
【図８】
2013545332.tif 000010
【図９】
2013545332.tif 000011
【国際調査報告】
2013545332.tif 000012
2013545332.tif 000013
2013545332.tif 000014
2013545332.tif 000015
2013545332.tif 000016